(57)【要約】【課題】凹凸部による装飾模様の目視状態を変化させることが可能な表示板を備えた表示装置を提供する。【解決手段】表示装置１は、基板２０と基板２０の目視側前面に装飾模様として形成された凹凸部２３とを有する表示板２と、目視側の斜め方向から凹凸部２３を照明する光源５４と、光源５４の点燈・消燈を制御する制御手段８とを備え、凹凸部２３が、基板２０に対して略平行に形成された第１反射面２４と第１反射面２４に対して傾斜して形成された第２反射面２５とを交互に備え、第１反射面２４に対する光源５４の照射角度Ｂと第１反射面２４に対する第２反射面２５の傾斜角度Ａが、第２反射面２４が光源５４の発する光を目視側へ反射する反射強度が、第１反射面２４が光源５４の発する光を目視側へ反射する反射強度より大きくなるように設定される。【選択図】図４
2007327794.tif 000002
【特許請求の範囲】
【請求項１】
基板と該基板の目視側前面に装飾模様として形成された凹凸部とを有する表示板と、
前記目視側の斜め方向から前記凹凸部を照明する光源と、
前記光源の点燈・消燈を制御する制御手段とを備え、
前記凹凸部は、前記基板に対して略平行に形成された第１反射面と該第１反射面に対して傾斜して形成された第２反射面とを交互に備え、
前記第１反射面に対する前記光源の照射角度と前記第１反射面に対する前記第２反射面の傾斜角度は、該第２反射面が該光源の発する光を前記目視側へ反射する反射強度が、該第１反射面が該光源の発する光を該目視側へ反射する反射強度より大きくなるように設定されていることを特徴とする表示装置。
【請求項２】
前記第１反射面に対する前記光源の照射角度と前記第１反射面に対する前記第２反射面の傾斜角度は、該第２反射面が該光源の発する光を前記目視側へ反射する反射強度を減少させないで、該第１反射面が該光源の発する光を該目視側へ反射する反射強度を略零にするように設定されていることを特徴とする請求項１に記載の表示装置。
【請求項３】
前記傾斜角度を、前記装飾模様に対応させるように変化させていることを特徴とする請求項１または請求項２に記載の表示装置。
【請求項４】
前記凹凸部の凹凸高さと該凹凸部の凹凸ピッチの少なくともいずれかを、前記装飾模様に対応させるように変化させていることを特徴とする請求項１ないし請求項３のいずれか一項に記載の表示装置。
【請求項５】
前記装飾模様は、ラインが前記表示板の所定部位に対して同心円状に配置された同心円模様とラインが該部位から放射状に配置された旭光模様のいずれかであることを特徴とする請求項１ないし請求項４のいずれか一項に記載の表示装置。
【請求項６】
前記表示板の前記目視側前面に沿って回動する指針を備え、
前記部位近傍を、前記指針が回動する中心とすることを特徴とする請求項５に記載の表示装置。
【請求項７】
前記光源の発する光に対する前記第２反射面の反射強度が前記部位から外周側へ向かって徐々に大きくなるように、前記傾斜角度を該部位から該外周側へ向かって徐々に変化させていることを特徴とする請求項５または請求項６に記載の表示装置。
【請求項８】
前記凹凸部の前記凹凸高さを前記部位から該外周側へ向かって徐々に大きくさせていることを特徴とする請求項５ないし請求項７のいずれか一項に記載の表示装置。
【請求項９】
前記凹凸部の凹凸ピッチを前記部位から該外周側へ向かって徐々に小さくさせていることを特徴とする請求項５ないし請求項８のいずれか一項に記載の表示装置。
【請求項１０】
前記表示板は、前記凹凸部と前記基板の前記目視側前面の間に形成された表示意匠部を備え、
前記凹凸部は、前記基板に形成された前記表示意匠部の上面に、透光性樹脂材料をインクジェットプリントして形成されていることを特徴とする請求項１ないし請求項９のいずれか一項に記載の表示装置。
【請求項１１】
前記凹凸部と前記基板は、透光性樹脂材料から一体成形により形成され、
前記表示板は、前記凹凸部が形成された前記基板の背面に形成された表示意匠部を備えことを特徴とする請求項１ないし請求項１０のいずれか一項に記載の表示装置。
【発明の詳細な説明】
【技術分野】
【０００１】
本発明は、凹凸部が装飾模様として形成された表示板を備えた表示装置に関するものである。
【背景技術】
【０００２】
従来より、凹凸部が装飾模様として形成された表示板を備えた表示装置がある。例えば、凹凸部は、微小な複数の凹凸ラインとして、樹脂から形成された表示板（文字盤）の目視側前面に、印刷等で形成される。
【０００３】
具体的に、凹凸部は、この表示板を備えた指針計器において、指針軸が表示板を挿通するための貫通孔と同心円状に形成された同心円模様として形成されたり、この貫通孔から放射状に形成された旭光模様として形成されたりする。
【０００４】
凹凸部は、金属調の細かな装飾模様として、表示板の金属感を強調させようとするものであり、表示板を金属調に見せ、表示板に高級感やスポーティ感等を与えることを目的とするものである。
【発明の開示】
【発明が解決しようとする課題】
【０００５】
しかし、上述の表示板は、凹凸部による装飾模様の目視状態が変化しないため、目視者に対して面白さを充分に与えることができない。
【０００６】
本発明は、上記問題点に鑑みてなされたものであり、本発明の目的は、凹凸部による装飾模様の目視状態を変化させることが可能な表示板を備えた表示装置を提供することである。
【課題を解決するための手段】
【０００７】
本発明は上記目的を達成するため、以下の技術的手段を採用する。
【０００８】
請求項１に記載の表示装置は、基板と基板の目視側前面に装飾模様として形成された凹凸部とを有する表示板と、目視側の斜め方向から凹凸部を照明する光源と、光源の点燈・消燈を制御する制御手段とを備え、凹凸部が、基板に対して略平行に形成された第１反射面と第１反射面に対して傾斜して形成された第２反射面とを交互に備え、第１反射面に対する光源の照射角度と第１反射面に対する第２反射面の傾斜角度が、第２反射面が光源の発する光を目視側へ反射する反射強度が、第１反射面が光源の発する光を目視側へ反射する反射強度より大きくなるように設定されていることを特徴とする。
【０００９】
この構成では、目視側の斜め方向から凹凸部を照明する光源の点燈時に、第２反射面が光源の発する光を目視側へ反射する反射強度が、第１反射面が光源の発する光を目視側へ反射する反射強度より大きくなるように設定されている。これにより、第２反射面の反射光がより強調されて目視されるため、即ち、第２反射面がより強調されるため、凹凸部の凹凸性が強調される。この結果、凹凸部による装飾模様が強調されて目視される。
【００１０】
一方、光源の消燈時に目視側から外来光が入射するが、光源の発する光とは反対に、第２反射面が外来光を目視側へ反射する反射強度が、第１反射面が外来光を目視側へ反射する反射強度より小さくなる。これにより、第２反射面が目視され難く強調され難いため、凹凸部の凹凸性が目視され難い。即ち、凹凸部による装飾模様が目視され難くなる。
【００１１】
これらの結果、光源の点燈・消燈の制御によって、凹凸部による装飾模様の目視状態を変化させることができる。
【００１２】
請求項２に記載の表示装置は、第１反射面に対する光源の照射角度と第１反射面に対する第２反射面の傾斜角度が、第２反射面が光源の発する光を目視側へ反射する反射強度を減少させないで、第１反射面が光源の発する光を目視側へ反射する反射強度を略零にするように設定されていることを特徴とする。
【００１３】
これにより、光源の点燈時に、第２反射面の反射光がより強調されて目視されるため、凹凸部の凹凸性が強調される。このため、凹凸部による装飾模様がより強調されて目視される。
【００１４】
一方、光源の消燈時には、第１反射面が外来光を目視側へ反射する反射強度が、より大きくなるため、第２反射面が、相対的により目視され難く、つまり、より強調され難くなる。このため、凹凸部による装飾模様がより目視され難くなる。
【００１５】
即ち、光源の点燈・消燈の制御によって、凹凸部による装飾模様の目視状態をより変化させることができる。
【００１６】
請求項３に記載の表示装置は、傾斜角度を、装飾模様に対応させるように変化させていることを特徴とする。
【００１７】
この構成では、傾斜角度を、装飾模様に対応させて変化させる。これにより、光源の発する光に対する第２反射面の反射強度を、装飾模様に対応させて変化させることができる。このため、光源の点燈時に、凹凸部による装飾模様がより強調されて目視される。この結果、光源の点燈・消燈の制御によって、凹凸部による装飾模様の目視状態をより変化させることができる。
【００１８】
請求項４に記載の表示装置は、凹凸部の凹凸高さと凹凸部の凹凸ピッチの少なくともいずれかを、装飾模様に対応させるように変化させていることを特徴とする。
【００１９】
この構成では、凹凸部の凹凸高さと凹凸部の凹凸ピッチの少なくともいずれかを、装飾模様に対応させて変化させる。これにより、光源の点燈時に、凹凸部による装飾模様がより強調されて目視される。この結果、光源の点燈・消燈の制御によって、凹凸部による装飾模様の目視状態をより変化させることができる。
【００２０】
請求項５に記載の表示装置は、装飾模様が、ラインが表示板の所定部位に対して同心円状に配置された同心円模様とラインがこの部位から放射状に配置された旭光模様のいずれかであることを特徴とする。
【００２１】
この構成においても、上述の効果を得ることができる。
【００２２】
請求項６に記載の表示装置は、表示板の目視側前面に沿って回動する指針を備え、その部位近傍を、指針が回動する中心とすることを特徴とする。
【００２３】
この構成においても、上述の効果を得ることができる。
【００２４】
請求項７に記載の表示装置は、光源の発する光に対する第２反射面の反射強度がその部位から外周側へ向かって徐々に大きくなるように、傾斜角度をその部位から外周側へ向かって徐々に変化させていることを特徴とする。
【００２５】
この構成では、光源の発する光に対する第２反射面の反射強度がその部位から外周側へ向かって徐々に大きくなるように形成される。これにより、光源の点燈時に、凹凸部による装飾模様が、その部位から外周側へ向かって徐々に明るく、即ちグラデーションとして強調されて目視される。この結果、光源の点燈・消燈の制御によって、凹凸部による装飾模様の目視状態をより変化させることができる。
【００２６】
請求項８に記載の表示装置は、凹凸部の凹凸高さをその部位から外周側へ向かって徐々に大きくさせていることを特徴とする。
【００２７】
この構成では、その部位から外周側へ向かって、凹凸高さを徐々に大きくさせるため、第２反射面を第１反射面に対して相対的に徐々に大きくさせることになる、これにより、光源の点燈時に、凹凸部による装飾模様が、その部位から外周側へ向かって徐々に明るく、即ちグラデーションとして強調されて目視される。
【００２８】
この結果、光源の点燈・消燈の制御によって、凹凸部による装飾模様の目視状態をより変化させることができる。
【００２９】
請求項９に記載の表示装置は、凹凸部の凹凸ピッチをその部位から外周側へ向かって徐々に小さくさせていることを特徴とする。
【００３０】
この構成では、その部位から外周側へ向かって、凹凸ピッチを徐々に小さくさせるため、第２反射面を第１反射面に対して相対的に徐々に大きくさせることになる、これにより、光源の点燈時に、凹凸部による装飾模様が、その部位から外周側へ向かって徐々に明るく、即ちグラデーションとして強調されて目視される。
【００３１】
この結果、光源の点燈・消燈の制御によって、凹凸部による装飾模様の目視状態をより変化させることができる。
【００３２】
請求項１０に記載の表示装置は、表示板が、凹凸部と基板の目視側前面の間に形成された表示意匠部を備え、凹凸部が、基板に形成された表示意匠部の上面に、透光性樹脂材料をインクジェットプリントして形成されていることを特徴とする。
【００３３】
この構成では、表示意匠部が、透光性を有する凹凸部を通して目視される。これにより、光源の点燈・消燈の制御によって、表示意匠部の目視状態も変化させることができる。
【００３４】
請求項１１に記載の表示装置は、凹凸部と基板が、透光性樹脂材料から一体成形により形成され、表示板が、凹凸部が形成された基板の背面に形成された表示意匠部を備えことを特徴とする。
【００３５】
この構成では、表示意匠部が、透光性を有する凹凸部と基板とを通して目視される。これにより、光源の点燈・消燈の制御によって、表示意匠部の目視状態も変化させることができる。
【発明を実施するための最良の形態】
【００３６】
以下、本発明による表示装置を、自動車に搭載されるコンビネーションメータに適用した場合を例に図面に基づいて説明する。
【００３７】
（構成）
図１は、本発明の一実施形態による表示装置であるコンビネーションメータ１の正面図である。
【００３８】
図２は、図１中のＩＩ−ＩＩ線断面図である。
【００３９】
図３は、図２中のＩＩＩ部の拡大図である。
【００４０】
図４は、図３に示す凹凸部２３の構造を説明するための拡大図である。
【００４１】
図５は、凹凸部２３の反射強度と傾斜角度Ａと照射角度Ｂの関係を説明するための模式図である。
【００４２】
図６は、本発明の一実施形態によるコンビネーションメータ１の電気回路を説明する回路構成図である。
【００４３】
表示装置であるコンビネーションメータ１は、自動車の運転席前方に配置されて当該自動車に関する各種車両情報を表示する。本実施形態によるコンビネーションメータ１は、図１に示すように、自動車の走行速度を指示する速度計を構成する。
【００４４】
コンビネーションメータ１は、表示板である文字盤２と、透光性リング３と、文字盤２の目視側前面（図２において上側の面）に沿って回動する指針４とを備える。
【００４５】
文字盤２は、透光性を有する材料、例えば透明なポリカーボネート樹脂等から形成された基板２０（図３）と、基板２０の目視側前面（図３において上側の面）に形成された表示意匠部である文字部２１と、文字部２１の上面に装飾模様として形成された凹凸部２３とを備える。
【００４６】
文字部２１は、例えば白色で透光性の印刷層として形成され、文字部２１の背景を構成する背景部２２は、例えば青色で不透光性の（または、透光性が低い）印刷層として形成される。文字部２１と背景部２２は、スクリーン印刷あるいはホットスタンプ印刷等により形成される。
【００４７】
凹凸部２３は、図１に示すように、指針４が回動する中心（回転中心）に対してラインが同心円状に配置された同心円模様として形成される。凹凸部２３は、いわゆる、インクジェットプリント（デジタル印刷）によって形成される。
【００４８】
例えば無色透明なアクリル樹脂系のインクを、図示しないヘッドに設けられているノズルと呼ばれる小さな穴から、文字部２１と背景部２２の上面へピエゾジェット方式やサーマルジェット方式で発射し、これによって凹凸部２３を形成する。この時、ヘッドを、形成しようとする凹凸部２３の同心円模様に合わせて移動させながら、ノズルからインクを発射する。このため、凹凸部２３を、同心円模様に限らないで他の複雑な装飾模様としても形成できる。
【００４９】
透光性リング３は、透光性を有するアクリル樹脂等からリング状に形成され、透光性リング３の背面側（図２において下側）に凹部として形成された目盛部３１を備える。発光ダイオード５３が発した光は、図１中の光路Ｐ１に従って透光性リング３内に導かれ、目盛部３１は、透光性リング３内に導かれた発光ダイオード５３の発する光を目視側（図２において上側）に反射し、これにより、目盛部３１を反射光として目視させる。
【００５０】
文字盤２の背後（図２において下側）には、ムーブメント４１、発光ダイオード５１−５３、光源である発光ダイオード５４、ケース６およびプリント基板７が配置される。プリント基板７は、コンビネーションメータ１の電気回路部を形成するものであり、ムーブメント４１と発光ダイオード５１−５４は、プリント基板７に実装される。
【００５１】
ムーブメント５は、たとえば交差コイル式ムーブメント、あるいはステッピングモータ等から構成され、外部からの電気信号（本実施形態によるコンビネーションメータ１においては車速信号）に対応した角度だけシャフト４２を回動させる。文字盤２の略中央部には貫通孔２６が設けられ、シャフト５１は、文字盤２の貫通孔２６を通して文字盤２の目視側（図２において上側）へ延出し、指針４がその先端に固定される。
【００５２】
プリント基板７には、ムーブメント４１を駆動し、発光ダイオード５１−５４の点燈・消燈を制御する制御手段である制御装置８（図６）が実装される。制御装置８は、例えばマイクロコンピュータ等から構成される。
【００５３】
ケース６は、発光ダイオード５１からの光を指針４へ導いて指針４を発光表示させ、発光ダイオード５２からの例えば白色光を文字盤２の背面へ導いて文字盤２を透過照明させる。また、ケース６は、発光ダイオード５４からの例えば白色光を反射面６１で反射させて文字盤２の目視側前面へ導く。文字盤２の目視側前面へ導かれた発光ダイオード５４からの光は、目視側の斜め方向から、即ち、図２中の光路Ｐ２が示す方向から凹凸部２３を照明する。
【００５４】
凹凸部２３は、図３と図４に示すように、基板２０に対して略平行に形成された第１反射面２４と第１反射面２４に対して傾斜して形成された第２反射面２５とを交互に備える。発光ダイオード５４の発する光は、図２と図３と図４中の光路Ｐ２，Ｐ２１，Ｐ２２に従って凹凸部２３を照明し、図３と図４中の光路Ｐ２１，Ｐ２２に従って、目視側（図３と図４において上側）へ反射する。
【００５５】
第１反射面２４に対する発光ダイオード５４の照射角度Ｂと第１反射面２４に対する第２反射面２５の傾斜角度Ａは、第２反射面２５が発光ダイオード５４の発する光を目視側（図４において上側）へ反射する反射強度が、第１反射面２４が発光ダイオード５４の発する光を目視側へ反射する反射強度より大きくなるように設定される。
【００５６】
尚、図５において、第２反射面２５の反射光の反射角度Ｅが９０度以下（Ｅ≦９０）の場合、第２反射面２５が発光ダイオード５４の発する光を目視側へ反射する反射強度は、ｓｉｎ（サイン）Ｅに比例する。また、第１反射面２４の反射光の反射角度をＣとすると、第１反射面２４が発光ダイオード５４の発する光を目視側へ反射する反射強度は、ｓｉｎ（サイン）Ｃに比例する。
【００５７】
従って、この場合、第２反射面２５が発光ダイオード５４の発する光を目視側へ反射する反射強度が、第１反射面２４が発光ダイオード５４の発する光を目視側へ反射する反射強度より大きくすることを、式（１）で示すことができる。
【００５８】
Ｅ＞Ｃ・・・・・・・（１）
一方、Ｅ＞９０（度）の場合、第２反射面２５が発光ダイオード５４の発する光を目視側へ反射する反射強度は、ｓｉｎ（１８０−Ｅ）に比例する。従って、この場合、第２反射面２５が発光ダイオード５４の発する光を目視側へ反射する反射強度が、第１反射面２４が発光ダイオード５４の発する光を目視側へ反射する反射強度より大きくすることを、式（２）で示すことができる。
【００５９】
（１８０−Ｅ）＞Ｃ・・・・・・・（２）
反射角度Ｅは、第２反射面２５が発光ダイオード５４の発する光を目視側へ反射した反射光の第１反射面２４に対する反射角度であり、反射角度Ｃは、第１反射面２４が発光ダイオード５４の発する光を目視側へ反射した反射光の第１反射面２４に対する反射角度である。
【００６０】
以下、式（１）を満足するための、傾斜角度Ａと照射角度Ｂの関係を求める。
【００６１】
前提として、図５において光路Ｐ２１が示すように、第２反射面２５の反射光が、目視側へ反射する必要があるため、傾斜角度Ａと照射角度Ｂは、式（３）で示す関係を必要とする。
【００６２】
（Ａ+Ｂ）＜９０・・・・・・・（３）
図５において、傾斜角度Ａと照射角度Ｂと角度Ｄには、Ａ＋Ｂ＝Ｄの関係が有り、傾斜角度Ａと角度Ｄと角度Ｅには、Ａ＋Ｄ＋Ｅ＝１８０の関係がある。このため、反射角度Ｅを式（４）で表すことができる。
【００６３】
Ｅ＝１８０−（２Ａ+Ｂ）・・・・・（４）
また、照射角度Ｂと反射角度Ｃには、式（５）の関係がある。
【００６４】
Ｃ＝Ｂ・・・・・（５）
Ｅ≦９０（度）の場合、式（１）に式（４）と式（５）を代入すると式（６）が得られ、Ｅ≦９０に式（４）を代入すると式（７）が得られる。
【００６５】
（Ａ+Ｂ）＜９０・・・・・・・（６）
（２Ａ+Ｂ）≧９０・・・・・・・（７）
式（３）と式（６）が同一であるため、発光ダイオード５４の発する光に対して、第２反射面２５よる反射強度が、第１反射面２４よる反射強度より大きくなるようにする要件は、式（３）と式（７）の両方を満足することである。
【００６６】
一方、Ｅ＞９０（度）の場合、式（２）に式（４）と式（５）を代入すると式（８）が得られ、Ｅ＞９０に式（４）を代入すると式（９）が得られる。
【００６７】
Ａ＞０・・・・・・・（８）
（２Ａ+Ｂ）＜９０・・・・・・・（９）
式（８）は、当然に満足し、式（９）を満足すれば、式（３）を満足できるため、発光ダイオード５４の発する光に対して、第２反射面２５よる反射強度が、第１反射面２４よる反射強度より大きくなるようにする要件は、式（９）を満足することである。
【００６８】
例えば、傾斜角度Ａが４０度であり、照射角度Ｂが１０度であれば、式（３）と式（７）の両方を満足する。この場合、反射角度Ｅが式（４）から求められて９０度となり、反射角度Ｃが式（５）によって求められて１０度となる。これにより、発光ダイオード５４の発する光に対して、第２反射面２５よる目視側への反射強度が、第１反射面２４よる目視側へ反射強度より大きくなり、第２反射面２５がより強調される。このため、凹凸２３部の凹凸性が強調され、凹凸部２３による同心円模様が強調されて目視される。
【００６９】
一方、発光ダイオード５４の消燈時には、外来光が目視側から凹凸２３部へ入射し、図３中の光路Ｐ３１，Ｐ３２に従って第１反射面２４と第２反射面２５により反射する。図３中の光路Ｐ３１，Ｐ３２から明らかなように、外来光では、発光ダイオード５４からの光の場合と反対に、第２反射面２５の反射光の第１反射面２４を基準とする反射角度が、第１反射面２４の反射光の反射角度より小さくなる。
【００７０】
即ち、外来光は、発光ダイオード５４からの光とは反対に、第２反射面２５が外来光を目視側へ反射する反射強度が、第１反射面２４が外来光を目視側へ反射する反射強度より小さくなる。これにより、第２反射面２５が目視され難く強調され難いため、凹凸部２３の凹凸性が目視され難い。即ち、凹凸部２３による同心円模様が目視され難くなる。
【００７１】
これらの結果、発光ダイオード５４の点燈・消燈の制御によって、凹凸部２３による同心円模様の目視状態を変化させることができる。
【００７２】
尚、発光ダイオード５４の点燈時に、凹凸部２３による同心円模様をより強調して目視させるためには、傾斜角度Ａと照射角度Ｂを、反射角度Ｅが６０度から９０度ぐらいになるように、且つ、反射角度Ｃが１０度から３０度ぐらいになるように設定することが望ましい。
【００７３】
さらに望ましくは、反射角度Ｅが９０度ぐらいになるように、且つ、反射角度Ｃが１０度以下になるように設定する。これにより、第２反射面２５が発光ダイオード５４の発する光を目視側へ反射する反射強度を減少させないで、第１反射面２４が発光ダイオード５４の発する光を目視側へ反射する反射強度を略零にすることができる。
【００７４】
一方、この場合、が発光ダイオード５４の消燈時には、第１反射面２４が外来光を目視側へ反射する反射強度が、より大きくなるため、第２反射面２５が、相対的により目視され難くより強調され難くなる。このため、凹凸部２３による同心円模様がより目視され難くなる。
【００７５】
即ち、発光ダイオード５４の点燈・消燈の制御によって、凹凸部２３による同心円模様の目視状態をより変化させることができる。
【００７６】
また、傾斜角度Ａを、反射角度Ｅが図１において指針４の回転中心から外周側へ向かって徐々に大きくなるように、例えば、反射角度Ｅが３０度から９０度へ徐々に大きくなるよう設定する。これにより、発光ダイオード５４の点燈時に、第２反射面２５からの反射強度が、指針４の回転中心から外周側へ向かって徐々に大きくなり、凹凸２３部による同心円模様が、指針４の回転中心から外周側へ向かって徐々に明るく、即ちグラデーションとして強調されて目視される。
【００７７】
尚、図４に示す凹凸部２３の凹凸高さＨを、指針４の回転中心からから外周側へ向かって徐々に大きくさせることによっても、このグラデーションを形成することができる。凹凸高さＨを徐々に大きくさせることによって、第２反射面２５を第１反射面２４に対して相対的に徐々に大きくさせることになる。このため、発光ダイオード５４の点燈時に、凹凸部２３による同心円模様が、指針４の回転中心から外周側へ向かって徐々に明るく、即ちグラデーションとして強調されて目視される。
【００７８】
また、図４に示す凹凸ピッチＰを、指針４の回転中心からから外周側へ向かって徐々に小さくさせることによっても、このグラデーションを形成することができる。凹凸ピッチＰを徐々に小さくさせることによって、第２反射面２５を第１反射面２４に対して相対的に徐々に大きくさせることになる。このため、発光ダイオード５４の点燈時に、凹凸部２３による同心円模様が、指針４の回転中心から外周側へ向かって徐々に明るく、即ちグラデーションとして強調されて目視される。
【００７９】
また、凹凸部２３の凹凸高さＨと凹凸部２３の凹凸ピッチＰと傾斜角度Ａの少なくともいずれかを、徐々に変化させることによっても、このグラデーションを形成することができる。例えば、傾斜角度Ａを６０度、凹凸高さＨを０．１ミリメートル（ｍｍ）、凹凸ピッチＰを０．３ｍｍを中心として変化させる。
【００８０】
以上説明した、本実施形態によるコンビネーションメータ１の電気回路構成について、図６に基づいて説明する。
【００８１】
制御装置８には、バッテリ１２から電力が常時供給される。制御装置８には、イグニッションスイッチ１１が、その作動状態（オンまたはオフ）を検出可能に接続され、当該自動車の走行速度を検出する速度センサ９と当該自動車のスモールランプ（テールランプ）を点燈させるスモールランプ点燈スイッチ１０が検出信号を入力可能に接続される。また、制御装置８には、発光ダイオード５１−５４とムーブメント４１も接続される。
【００８２】
また、制御装置８は、スモールランプ点燈スイッチ１０をオンした際に発光ダイオード５４を点燈するように構成される。
【００８３】
（作動）
上記構成において本実施形態の作動を説明する。
【００８４】
運転者によってイグニッションスイッチ１１がオンされると、制御装置８はイグニッションスイッチ１１がオンされたことを検知して、制御装置８は発光ダイオード５１−５３を点燈する。これにより、指針４が発光表示し、文字盤２が透過照明されて文字部２１が発光表示し、透光性リングの目盛部３１が発光表示する。また、制御装置８は、速度センサ９からの検出信号に基づいてムーブメント４１を駆動して、シャフト４２を所定角度、すなわち当該自動車の走行速度に対応する角度に回動させる。
【００８５】
また、周囲が暗くなると（コンビネーションメータ１へ入射する外来光の入射量が少なくなると）、運転者は、スモールランプ点燈スイッチ１０をオンして当該自動車のスモールランプを点燈させる。制御装置８は、それを検出して発光ダイオードを点燈させる。以下、文字盤２の目視状態を、発光ダイオード５４の点燈時と消燈時に分けて説明する。
【００８６】
（１）発光ダイオード５４の消燈時
外来光は、目視側から凹凸２３部へ入射し、図３中の光路Ｐ３１，Ｐ３２に従って第１反射面２４と第２反射面２５により反射する。外来光に対して、第２反射面２５による目視側への反射強度が、第１反射面２４による目視側へ反射強度より小さくなる。これにより、第２反射面２５が目視され難く強調され難いため、凹凸部２３の凹凸性が目視され難い。即ち、凹凸部２３による同心円模様が目視され難くなる。
【００８７】
一方、点燈した発光ダイオード５２の白色光は、図３において光路Ｐ４に従って透光性を有する白色の文字部２１を透過して、文字部２２を青色の背景部２２を背景として白色で発光表示させる。文字部２２は、同心円模様が目立たない透明な凹凸部２３を通して目視される。
【００８８】
（２）発光ダイオード５４の点燈時
点燈した発光ダイオード５４の白色光は、図２と図３と図４中の光路Ｐ２，Ｐ２１，Ｐ２２に従って凹凸部２３を照明し、図３と図４中の光路Ｐ２１，Ｐ２２に従って、目視側へ反射する。発光ダイオード５４の発する光に対して、第２反射面２５による目視側への反射強度が、第１反射面２４による目視側へ反射強度より大きく、第２反射面２５がより強調される。
【００８９】
これにより、凹凸２３部の凹凸性が強調され、凹凸部２３による同心円模様が強調されて目視される。文字部２２は、同心円模様が強調された透明な凹凸部２３を通して目視される。
【００９０】
この結果、発光ダイオード５４の点燈・消燈の制御によって、凹凸部２３の目視状態と凹凸部２３を通した文字部２２の目視状態の両方を変化させることができる。
【００９１】
尚、凹凸部２３を同心円模様として形成しないで、ラインが指針４の回転中心から放射状に配置された旭光模様や他の装飾模様として形成することも可能である。
【００９２】
（変形例）
図７は、図３の第１変形例を示す拡大図である。
【００９３】
第１変形例では、図７に示すように、凹凸部２３と基板２０を、透光性樹脂材料から一体成形により形成する。この場合、文字部２１と背景部２２を、凹凸部２３が形成された基板２０の背面（図７において下側の面）に形成する。これによっても、上述の効果を得ることができる。
【００９４】
図８は、図３の第２変形例を示す拡大図である。
【００９５】
第２変形例では、図８において、凹凸部２３を不透光性材料から形成する。
【００９６】
尚、図７において、凹凸部２３の目視側前面（図７において上側の面）に不透光なアルミニウム層を蒸着して第１反射面２４と第２反射面２５とを形成することも可能である。
【００９７】
これらの場合、凹凸部２３を、図１において、文字盤の文字部２１と重ならない位置に形成する。これにより、発光ダイオード５４の点燈・消燈の制御によって、凹凸部２３の目視状態を変化させることができる。
【００９８】
以上、本発明による表示装置であるコンビネーションメータ１は、基板２０と基板２０の目視側前面に装飾模様として形成された凹凸部２３とを有する表示板である文字盤２と、目視側の斜め方向から凹凸部２３を照明する光源である発光ダイオード５４と、発光ダイオード５４の点燈・消燈を制御する制御手段である制御装置８とを備え、凹凸部２３が、基板２０に対して略平行に形成された第１反射面２４と第１反射面２４に対して傾斜して形成された第２反射面２５とを交互に備え、第１反射面２４に対する発光ダイオード５４の照射角度Ｂと第１反射面２４に対する第２反射面２５の傾斜角度Ａが、第２反射面２４が発光ダイオード５４の発する光を目視側へ反射する反射強度が、第１反射面２４が発光ダイオード５４の発する光を目視側へ反射する反射強度より大きくなるように設定されていることを特徴とする。
【００９９】
これにより、凹凸部による装飾模様の目視状態を変化させることが可能な表示板を備えた表示装置を提供できる。
【０１００】
尚、本発明は、上述の例に限らず、これらの組み合わせや、他の種々の変形例が考えられる。
【図面の簡単な説明】
【０１０１】
【図１】図１は、本発明の一実施形態による表示装置であるコンビネーションメータ１の正面図である。
【図２】図２は、図１中のＩＩ−ＩＩ線断面図である。
【図３】図３は、図２中のＩＩＩ部の拡大図である。
【図４】図４は、図３に示す凹凸部２３の構造を説明するための拡大図である。
【図５】図５は、凹凸部２３の反射強度と傾斜角度Ａと照射角度Ｂの関係を説明するための模式図である。
【図６】図６は、本発明の一実施形態によるコンビネーションメータ１の電気回路を説明する回路構成図である。
【図７】図７は、図３の第１変形例を示す拡大図である。
【図８】図８は、図３の第２変形例を示す拡大図である。
【符号の説明】
【０１０２】
１  コンビネーションメータ（表示装置）、２  文字盤（表示板）
２０  基板、２１  文字部（表示意匠部）、  ２２  背景部
２３  凹凸部、２４  第１反射面、２５  第２反射面、２６  貫通孔
３  透光性リング、３１  目盛部、４  指針、４１  ムーブメント、４２  シャフト
５１−５３  発光ダイオード、５４  発光ダイオード（光源）
６  ケース、６１  反射面、７  プリント基板、８  制御装置（制御手段）
９  速度センサ、１０  スモールランプ点燈スイッチ
１１  イグニッションスイッチ、１２  バッテリ
Ａ  傾斜角度、Ｈ  凹凸高さ、Ｐ  凹凸ピッチ、Ｂ  照射角度Ｂ
【図１】
2007327794.tif 000003
【図２】
2007327794.tif 000004
【図３】
2007327794.tif 000005
【図４】
2007327794.tif 000006
【図５】
2007327794.tif 000007
【図６】
2007327794.tif 000008
【図７】
2007327794.tif 000009
【図８】
2007327794.tif 000010